【事件の表示】
　平成１０年特許願第２３０５２７号「画像形成装置の表示装置」拒絶査定不服審判事件〔平成１２年　２月２２日出願公開、特開２０００−　５３２７５〕について、次のとおり審決する。
【結　論】
　本件審判の請求は、成り立たない。
【理　由】
１．手続の経緯・本願発明  　　　
　本願は、平成１０年８月１７日の出願であって、その請求項１、２に係る発明は、平成１８年５月１９日付け手続補正書によって補正された明細書および図面の記載からみて、明細書の特許請求の範囲の請求項１、２に記載されたとおりのものであると認められるところ、その請求項１に係る発明は次のとおりのものである。
「【請求項１】用紙を搬送する複数の搬送路を有し、この搬送路におけるジャムの発生位置を表示する画像形成装置の表示装置において、
　待機時に、装置外観図と該外観図内に画像形成装置の情報が表示され、
　ジャム発生時に前記装置外観図からジャム処理に必要のない情報を消し、
　ジャム処理に必要のない情報を消した外観図内にジャムの発生位置を概略表示すると同時に、ジャム発生位置の詳細図を表示し、該詳細図におけるジャム処理の操作手順の詳細表示を行う表示手段を備え、
　該表示手段はジャム発生時に、前記詳細図においてジャム処理を行うために操作を必要とする部材を白黒反転させて表示するとともに、前記詳細表示において前記操作を必要とする部材の操作のためのメッセージ表示を合わせて行う画像形成装置の表示装置。」（以下、「本願発明」という）
　
２．拒絶理由の概要
　当審が平成１８年３月２２日付けで通知した拒絶理由の概要は、
　本願の請求項１、２に係る発明は、その出願前に頒布された引用刊行物１、２に記載された発明に基づいて当業者が容易に発明をすることができたものであるから特許法第２９条第２項の規定により特許を受けることができないというものである。
刊行物１：特開平６−１３８７４０号公報（以下、「引用例１」という）
刊行物２：特開昭６３−２５８３４５号公報（以下、「引用例２」という）
　
３．引用例の記載事項　
（１）引用例１
（１−１）「【産業上の利用分野】本発明は、ソータ、フィニッシャのような周辺機を選択的に接続可能な複写装置、プリンタ、ファクシミリ等の画像形成装置に関する。」（【０００１】欄）
（１−２）「従来、この種の装置としては、…略…付加装置の接続状況を表示する手段を画像形成装置本体に設けることにより、ユーザがシステムの構成を容易に把握するようにしたものが知られている。また、…略…割り込み複写モードにおいて操作が禁止される機能の表示を消去することにより表示内容を簡略化し、作業性を向上したものが知られている。
　他の装置としては、…略…特定の機能の指定またはその指定の解除をタッチパネル付き表示パネル部により行う機能設定モードを備えることにより、その機能に関する表示とキー入力を禁止するものが知られている。」（【０００５】、【０００６】欄）
（１−３）「…略…、タッチパネル６００ａは透明シート状のマトリクスタッチスイッチとして構成されてＬＣＤ表示部６００ｂの表示素子上に重畳され、押下位置が検出される。また、モードに応じてタッチスイッチ６００ａの入力形態が対応しており、押下の検出により表示中のモードが設定され、また、その設定が解除される。」（【００４６】欄）
（１−４）「ステップＳ１３においてジャム状態表示モードが設定されている場合には、同様にステップＳ１４〜Ｓ１６においてそれぞれ周辺機の接続状態を示すフラグ「ｆｌｇ　ｏｐｔ　ｓｅｔ　」を判定し、判定結果に応じて図１５または図１６に示すように表示エリアＡに表示される文章内容や周辺装置の外観図を切り換えて表示するとともに、エリアＢにはジャム発生位置とジャム除去用のドア位置のアニメーションを表示する（ステップＳ１７〜Ｓ１９）。なお、図１５はフィニッシャが接続されている場合の画面を示し、図１６はソータが接続されている場合の画面を示している。」（【００６６】欄）
（１−５）「なお、図１７はフィニッシャが接続されている場合の画面を示し、…略…白黒が反転されて表示されている。」（【００６８】欄）
（１−６）図２には、用紙を搬送する複数の搬送路（１２２、４００、３００）が、記載されている。
（１−７）「図１３には、図１３はフィニッシャが接続されている場合の外観図画面を示す説明図」（【００２４】欄）の記載と共に画像形成装置の情報が表示されている。
　記載事項（１−１）〜（１−７）より、引用例１には、
「用紙を搬送する複数の搬送路を持つ画像形成装置本体に付加装置の接続状況を表示する外観図画面とあわせ画像形成装置の情報表示手段を設けることにより、ユーザがシステムの構成を容易に把握するようにしたものがあること、また、タッチパネル６００ａは透明シート状のマトリクスタッチスイッチとして構成されてＬＣＤ表示部６００ｂの表示素子上に重畳され、ジャム状態表示モードが設定されている場合には、図１５または図１６に示すように表示エリアＡに表示される文章内容や周辺装置の外観図を切り換えて表示するとともに、エリアＢにはジャム発生位置とジャム除去用のドア位置のアニメーションを白黒反転して表示する画像形成装置」の発明（以下、「引用例１記載の発明」という）が記載されている。
（２）引用例２
（２−１）「第３図は第１図に示す画像記録装置の正面扉を開いた状態の概略図であり、感材マガジン１４１、露光装置２００、加熱現像装置４０、受像紙供給装置７２、転写装置８８、感材廃棄部１０４を概略的に示す。そしてこれらの記録処理装置内でジャムが発生したときに操作するジャム解除操作ノブ５０ａ，５０ｂ，５０ｃ，５０ｄが記録装置毎に設けられている。各ノブ及びレバーの近傍には０から９までの数字を表わすことのできる７セグメント発光表示管５４ａ、５４ｂ、５４ｃ、５４ｄ、５４ｅ、５４ｆ、５４ｇ、５４ｈ、５４ｉが設けられている。表示管５４ａ〜５４ｉはすべて表示制御装置により作動を制御されており、センサＳＷ１〜ＳＷ７のジャム検出信号により表示制御装置内でジャム発生箇所が特定されると、ジャム解除操作に必要となるノブ及びレバーに対応した表示管だけが点灯する。しかも、表示制御装置が操作すべきノブ及びレバーの操作順位を演算して表示管に出力することにより、操作ノブ及びレバー毎の表示管に操作順位が表示される。
　例えば、センサＳＷ２．ＳＷ３により加熱現像装置４０内でのジャムが検出されると、加熱現像装置４０の感光材料搬送経路を露出するだめのレバー５２ｃ、５２ｂ及びノブ５０ｃの表示管５４ｆ、５４ｄ、５４ｅが点灯し、表示管５４ｆ、５４ｄ、５４ｅは順に１、２、３の数字を表示して操作順位を表わす。
　なお、本実施態様装置は画像記録装置内のジャム解除操作部材毎に表示管を有するが、本発明は第３図のような概略図を表示する表示装置を備える構成であってもよい。この場合表示装置は、画像記録装置の正面扉を開いたときに内部の記録処理装置と容易に対応しながら視認できる位置に配置されることが好ましい。またこの表示装置を操作パネルの近傍に配置してもよい。
また、表示装置は、第４図に示すようにジャム解除操作部材及びその操作順を文章によって表示してもよい。更に文章と合わせて画像記録装置の搬送経路を表示して、ジャム発生箇所を点灯表示する構成であってもよい。第４図に示す表示装置は加熱現像装置でジャムが発生したことを表わす。
この表示装置も画像記録装置の正面扉を開いたときに視認できる位置、操作パネル近傍のいずれに配置してもよい。」（第４頁左上欄１６行〜左下欄１８行）
（２−２）記載事項（２−１）より、引用例２には、
「操作すべきノブ及びレバーの操作順位を演算して表示管に出力する点灯表示装置を備えるが、第３図のような概略図を表示する表示装置を備える構成であっても、第４図に示すようにジャム解除操作部材及びその操作順を文章によって表示することも可能な、操作パネル近傍に画像記録装置の概略図を表示する点灯表示装置を備える画像記録装置」の発明（以下、「引用例２記載の発明」という）が記載されている。
　
４．対比・判断
　ここで、装置外観図と該外観図内に画像形成装置の情報が表示される場合が待機時であることは、ユーザがシステムの構成を容易に把握する観点からして当業者に自明である。
　また、本願発明の、ジャム処理に必要のない情報を消した外観図内にジャムの発生位置の詳細図を表示することは、たとえば引用例１記載の発明の、ジャム状態表示モードが設定されている場合には、判定結果に応じて表示エリアＡに表示される文章内容や周辺装置の外観図を切り換えて表示するとともに、エリアＢにはジャム発生位置とジャム除去用のドア位置のアニメーション表示することと同じであって、表示手段においては慣用手段である。
　そこで、本願発明と引用例１記載の発明とを対比すると、
　引用例１記載の発明の、「用紙」、「搬送路」、「ジャム発生位置」、「アニメーション」、「表示部」、「外観図画面」、「ジャム除去用のドア位置」、「白黒反転」、「画像形成装置の情報表示手段」は、本願発明の、「用紙」、「搬送路」、「ジャムの発生位置」、「ジャム発生位置の詳細図」、「表示装置」、「装置外観図」、「操作を必要とする部材」、「白黒反転」、「画像形成装置の情報」に相当するから、両者は、「用紙を搬送する複数の搬送路を有し、この搬送路におけるジャムの発生位置を表示する画像形成装置の表示装置において、待機時に、装置外観図と該外観図内に画像形成装置の情報が表示され、ジャム処理に必要のない情報を消した外観図内にジャムの発生位置を表示し該表示手段はジャム発生時に、前記詳細図においてジャム処理を行うために操作を必要とする部材を白黒反転させて表示する画像形成装置の表示装置。」で一致し、以下の点で相違している。
　相違点１：本願発明の表示装置が、ジャム処理に必要のない情報を消した外観図内にジャムの発生位置を概略表示すると同時に、ジャム発生位置の詳細図におけるジャム処理の操作手順の詳細表示を行う表示手段を備えるものであるのに対し、引用例１記載の発明には、その記載が明示されていない点。
　相違点２：本願発明の表示装置が、詳細表示において記操作を必要とする部材の操作のためのメッセージ表示を合わせて行うものであるのに対し、引用例１記載の発明には、その記載が明示されていない点。
　　以下、相違点について検討する
　相違点１について、
　引用例２記載の発明には、第３図や、第４図に示すような２段階の概略図による表示があることが記載されているから、引用例１記載の発明の表示部に、２段階の概略図による表示装置を適用して本願発明の「表示装置が、ジャム処理に必要のない情報を消した外観図内にジャムの発生位置を概略表示すると同時に、ジャム発生位置の詳細図におけるジャム処理の操作手順の詳細表示を行う表示手段」を構成することは当業者が容易になしえたことである。
 　相違点２について、
　引用例２記載の発明には、第４図に示すとおり、ジャム解除操作部材及びその操作順を文章によって表示することが記載されているから、このような図示のものと文章によるガイドを適用して本願発明の構成とすることは、当業者が適宜なし得たことにすぎない。
　
　５．むすび
　上記のとおり、本願発明は、引用例１、２に記載の発明、に基づいて当業者が容易に発明をすることができたものであるから、特許法第２９条第２項の規定により特許を受けることができない。
　それゆえ、本願出願は、特許請求の範囲の請求項２について検討するまでもなく、拒絶すべきものである。
　よって、結論のとおり審決する。